(57)【要約】【課題】  本発明が解決しようとする課題は、低圧縮率性、柔軟性、及び、湿式成膜性に優れるウレタン樹脂組成物を提供することである。【解決手段】本発明は、ポリオール（ａ）、ポリイソシアネート（ｂ）、及び、鎖伸長剤（ｃ）を原料とするウレタン樹脂（Ｘ）を含有するウレタン樹脂組成物であって、パルスＮＭＲ測定法によるウレタン樹脂（Ｘ）の非晶相の存在比率が２０〜５０％の範囲であり、かつ、結晶相の存在比率が２０〜５０％の範囲であることを特徴とするウレタン樹脂組成物を提供するものである。また、本発明は、前記ウレタン樹脂組成物による多孔体を有することを特徴とする研磨パッドを提供するものである。本発明のウレタン樹脂組成物は、湿式成膜法により得られる多孔体を有する仕上げ研磨用研磨パッドとして好適に使用することができる。【選択図】なし【特許請求の範囲】
【請求項１】
ポリオール（ａ）、ポリイソシアネート（ｂ）、及び、鎖伸長剤（ｃ）を原料とするウレタン樹脂（Ｘ）を含有するウレタン樹脂組成物であって、
パルスＮＭＲ測定法によるウレタン樹脂（Ｘ）の非晶相の存在比率が２０〜５０％の範囲であり、かつ、結晶相の存在比率が２０〜５０％の範囲であることを特徴とするウレタン樹脂組成物。
【請求項２】
前記ウレタン樹脂（Ｘ）の重量平均分子量が１２万〜３０万の範囲である請求項１記載のウレタン樹脂組成物。
【請求項３】
前記ウレタン樹脂（Ｘ）を構成する原料中における、前記ポリイソシアネート（ｂ）の使用割合が、３０〜４５質量％の範囲である請求項１又は２記載のウレタン樹脂組成物。
【請求項４】
請求項１〜３のいずれか１項記載のウレタン樹脂組成物による多孔体を有することを特徴とする研磨パッド。
【請求項５】
仕上げ研磨に使用されるものである、請求項４記載の研磨パッド。
【発明の詳細な説明】
【技術分野】
【０００１】
本発明は、ウレタン樹脂組成物、及び、研磨パッドに関する。
【背景技術】
【０００２】
液晶ガラス、ハードディスクガラス、シリコンウエハ、半導体などの高度な表面平坦性が要求される分野においては、ウレタン樹脂組成物を使用した研磨パッドが広く利用されている。中でも、最終の仕上げ研磨においては、ＤＭＦ（ジメチルホルムアミド）等の溶剤で希釈したウレタン樹脂を水中で凝固させる湿式成膜法によって加工された軟質な多孔体が使用されている（例えば、特許文献１を参照。）。
【０００３】
この多孔体による研磨パッドに対して要求される特性としては、例えば、加工体表面の平坦性を保持するための高い体積弾性率を持つこと（＝低圧縮率）、表面のスクラッチを抑制する材料としての柔軟性、及び、スラリー（研磨液）の保持と安定的な研磨を担う多孔セルの微細さと均一性（湿式成膜性）等が挙げられる。
【０００４】
しかしながら、上記の低圧縮率性、柔軟性、及び、湿式成膜性は相反する物性であり、例えば、平坦性を重視し、研磨パッドの低圧縮率化を試みた場合、ウレタン樹脂が硬質化することとなり、スクラッチが悪化してしまうことが挙げられる。また、スクラッチを重視し、ウレタン樹脂を軟質化した場合には、水中での凝固が速やかに進行しなくなることで多孔セルの均一性が失われ、研磨の不安定化が起こる。このように、前記した全ての物性を高いレベルで成立させることは困難であった。
【先行技術文献】
【特許文献】
【０００５】
【特許文献１】特開２００４−２５６７３８号公報
【発明の概要】
【発明が解決しようとする課題】
【０００６】
本発明が解決しようとする課題は、低圧縮率性、柔軟性、及び、湿式成膜性に優れるウレタン樹脂組成物を提供することである。
【課題を解決するための手段】
【０００７】
本発明は、ポリオール（ａ）、ポリイソシアネート（ｂ）、及び、鎖伸長剤（ｃ）を原料とするウレタン樹脂（Ｘ）を含有するウレタン樹脂組成物であって、パルスＮＭＲ測定法によるウレタン樹脂（Ｘ）の非晶相の存在比率が２０〜５０％の範囲であり、かつ、結晶相の存在比率が２０〜５０％の範囲であることを特徴とするウレタン樹脂組成物を提供するものである。
【０００８】
また、本発明は、前記ウレタン樹脂組成物による多孔体を有することを特徴とする研磨パッドを提供するものである。
【発明の効果】
【０００９】
本発明のウレタン樹脂組成物は、低圧縮率性、柔軟性、及び、湿式成膜性に優れるものである。
【００１０】
よって、本発明のウレタン樹脂組成物は、湿式成膜法により得られる多孔体を有する仕上げ研磨用研磨パッドとして好適に使用することができる。
【発明を実施するための形態】
【００１１】
本発明のウレタン樹脂組成物は、ポリオール（ａ）、ポリイソシアネート（ｂ）、及び、鎖伸長剤（ｃ）を原料とするウレタン樹脂（Ｘ）を含有するものであり、低圧縮率性、柔軟性、及び、湿式成膜性を高いレベルで成立させる上で、パルスＮＭＲ測定法によるウレタン樹脂（Ｘ）の非晶相の存在比率が２０〜５０％の範囲であり、かつ、結晶相の存在比率が２０〜５０％の範囲であることが必須である。
【００１２】
一般に、ウレタン樹脂（Ｘ）は、ポリオール（ａ）からなるソフトセグメントと、ポリイソシアネート（ｂ）及び鎖伸長剤（ｃ）に由来するウレタン基やウレア基等から構成されるハードセグメントとから成ることが知られている。ここで、前記パルスＮＭＲ測定法により得られる「非晶相」とは、前記ソフトセグメントを示し、前記「結晶相」とは、前記ハードセグメントを示す。よって、このソフトセグメント及びハードセグメントのバランスを前記範囲に設定することによって、低圧縮率性、柔軟性、及び、湿式成膜性を高いレベルで成立させることができる。なお、前記パルスＮＭＲの測定方法は、後述する実施例にて記載する。
【００１３】
前記パルスＮＭＲ測定法では、前記「非晶相」及び「結晶相」以外に、「中間相」と呼ばれる領域が存在する。これは、ソフトセグメントとハードセグメントとが混在する領域であり、ソフトセグメント及びハードセグメントがより相分離された構造に制御することで、中間相の存在比率を低くすることができる。
【００１４】
本発明における、前記「非晶相」及び「結晶相」の前記した存在比率は、比較的高い割合として位置されており、これを同時に満たす数値範囲に制御する為には「中間相」の存在比率を如何にして減らすかが重要である。前記「非晶相」、及び「結晶相」の存在比率を係る範囲に設定し得る技術的思想としては、例えば、比較的分子量の高いポリオール（ａ）を原料として用いることでソフトセグメントの存在比率を高めること；比較的鎖長の短いポリイソシアネート（ｂ）及び鎖伸長剤（ｃ）を用いること；原料を反応させる順番を工夫することにより相分離構造を形成させやすくすることなどが挙げられる。
【００１５】
前記パルスＮＭＲ測定法によるウレタン樹脂（Ｘ）の非晶相の存在比率としては、より一層優れた低圧縮率性、及び柔軟性が得られる点から、２５〜４０％の範囲であることが好ましく、結晶相の存在比率としては２５〜４０％の範囲であることが好ましい。
【００１６】
前記ポリオール（ａ）としては、例えば、ポリエステルポリオール、ポリエーテルポリオール、ポリカーボネートポリオール、ポリアクリルポリオール、ポリブタジエンポリオール、水添ポリブタジエンポリオール、ダイマージオール等を用いることができる。これらのポリオールは単独で用いても２種以上を併用してもよい。これらの中でも、より一層優れた湿式成膜性が得られる点から、ポリエステルポリオール、ポリエーテルポリオール、及び、ポリカーボネートポリオールからなる群より選ばれる１種以上を用いることが好ましく、前記ポリエーテルポリオールとしては、ポリプロピレングリコール、及び／又は、ポリテトラメチレングリコールが好ましい。
【００１７】
前記ポリオール（ａ）の数平均分子量としては、５００〜１００，０００の範囲であることが好ましく、７００〜１０，０００の範囲がより好ましく、８００〜５，０００の範囲が更に好ましい。なお、前記ポリオール（ａ）の数平均分子量は、ゲル・パーミエーション・クロマトグラフィー（ＧＰＣ）法により測定した値を示す。
【００１８】
前記ウレタン樹脂（Ｘ）を構成する原料中における、前記ポリオール（ａ）の使用割合としては、３５〜６５質量％の範囲が好ましく、４０〜６０質量％の範囲がより好ましい。
【００１９】
前記ポリイソシアネート（ｂ）としては、例えば、ヘキサメチレンジイソシアネート、リジンジイソシアネート等の脂肪族ポリイソシアネート；シクロヘキサンジイソシアネート、イソホロンジイソシアネート、ジシクロヘキシルメタンジイソシアネート、テトラメチルキシリレンジイソシアネート、ノルボルネンジイソシアネート等の脂環式ポリイソシアネート；フェニレンジイソシアネート、トルエンジイソシアネート、ジフェニルメタンジイソシアネート、キシリレンジイソシアネート、ナフタレンジイソシアネート、ポリメチレンポリフェニルポリイソシアネート、カルボジイミド化ジフェニルメタンポリイソシアネート等の芳香族ポリイソシアネートなどを用いることができる。これらのポリイソシアネートは単独で用いても２種以上を併用してもよい。これらの中でも、より一層優れた湿式成膜性が得られる点から、芳香族ポリイソシアネートを用いることが好ましく、ジフェニルメタンジイシソアネートがより好ましい。
【００２０】
前記ウレタン樹脂（Ｘ）を構成する原料中における、前記ポリイソシアネート（ｂ）の使用割合としては、より一層優れた低圧縮率性、柔軟性、及び、湿式成膜性が得られる点から、３０〜４５質量％の範囲が好ましく、３５〜４０質量％の範囲がより好ましい。
【００２１】
前記鎖伸長剤（ｃ）は、分子量が５００未満（好ましくは５０〜４５０の範囲）のものであり、例えば、エチレンジアミン、１，２−プロパンジアミン、１，６−ヘキサメチレンジアミン、ピペラジン、２，５−ジメチルピペラジン、イソホロンジアミン、１，２−シクロヘキサンジアミン、１，３−シクロヘキサンジアミン、１，４−シクロヘキサンジアミン、４，４’−ジシクロヘキシルメタンジアミン、３，３’−ジメチル−４，４’−ジシクロヘキシルメタンジアミン、ヒドラジン等のアミノ基を有する鎖伸長剤；２，４−ジメチル−１，５−ペンタンジオール、２，３−ジメチル−１，５−ペンタンジオール、２−エチル−１，５−ペンタンジオール、２−メチル−１，６−ヘキサンジオール、３−メチル−１，６−ヘキサンジオール、１，７−ノナンジオール、２−エチル−１，６−ヘキサンジオール、２−メチル−１，７−ノナンジオール、３−メチル−１，７−ノナンジオール、４−メチル−１，７−ノナンジオール、１，８−オクタンジオール、２−メチル−１，８−オクタンジオール、１，９−ノナンジオール、２−メチル−１，８−オクタンジオール、３−メチル−１，８−オクタンジオール、４−メチル−１，８−オクタンジオール、１，１０−デカンジオール、２−メチル−１，１０−デカンジオール、３−メチル−１，１０−デカンジオール、４−メチル−１，１０−デカンジオール、１，１１−ウンデカンジオール、トリメチロールプロパン等の水酸基を有する鎖伸長剤などを用いることができる。これらの鎖伸長剤は単独で用いても２種以上を併用してもよい。なお、前記鎖伸長剤（ｃ）の分子量は、化学式から算出される化学式量を示す。
【００２２】
前記ウレタン樹脂（Ｘ）を構成する原料中における、前記鎖伸長剤（ｃ）の使用割合としては、５〜２０質量％の範囲が好ましく、５〜１５質量％の範囲がより好ましい。
【００２３】
前記ウレタン樹脂（Ｘ）の製造方法としては、例えば、前記ポリオール（ａ）と前記ポリイソシアネート（ｂ）と前記鎖伸長剤（ｃ）とを仕込み、反応させることによって製造する方法が挙げられる。これらの反応は、例えば、５０〜１００℃の温度で３〜１０時間行うことが挙げられる。また、前記反応は、後述する有機溶剤（Ｙ）中で行ってもよい。
【００２４】
前記ウレタン樹脂（Ｘ）の重量平均分子量としては、より一層優れた低圧縮率性、及び、湿式成膜性が得られる点から、１２万〜３０万の範囲であることが好ましく、１４万〜２５万の範囲がより好ましい。なお、前記ウレタン樹脂（Ｘ）の重量平均分子量は、ゲル・パーミエーション・クロマトグラフィー（ＧＰＣ）法により測定した値を示す。
【００２５】
前記ウレタン樹脂組成物中における前記ウレタン樹脂（Ｘ）の含有率としては、５〜８０質量％の範囲が挙げられる。
【００２６】
前記有機溶剤（Ｙ）としては、例えば、Ｎ，Ｎ−ジメチルホルムアミド、Ｎ，Ｎ−ジメチルアセトアミド、Ｎ−メチル−２−ピロリドン、メチルエチルケトン、メチル−ｎ−プロピルケトン、アセトン、メチルイソブチルケトン等のケトン溶剤；ギ酸メチル、ギ酸エチル、ギ酸プロピル、酢酸メチル、酢酸エチル、酢酸イソプロピル、酢酸イソブチル、酢酸イソブチル、酢酸第２ブチル等のエステル溶剤；メタノール、エタノール、イソプロピルアルコール、ブタノール等アルコール溶剤などを用いることができる。これらの有機溶剤は単独で用いても２種以上を併用してもよい。
【００２７】
本発明のウレタン樹脂組成物は、前記ウレタン樹脂（Ｘ）を必須成分として含有するが、必要に応じて、その他の添加剤を含有してもよい。
【００２８】
前記その他の添加剤としては、例えば、顔料、難燃剤、可塑剤、軟化剤、安定剤、ワックス、消泡剤、分散剤、浸透剤、界面活性剤、フィラー、防黴剤、抗菌剤、紫外線吸収剤、酸化防止剤、耐候安定剤、蛍光増白剤、老化防止剤、増粘剤等を用いることができる。これらの添加剤は単独で用いても２種以上を併用してもよい。
【００２９】
前記ウレタン樹脂組成物により形成された皮膜の、クロスヘッドスピード３００ｍｍ／分の条件での引張試験で得られる１００％モジュラスとしては、より一層優れた柔軟性が得られる点から、７〜２０ＭＰａの範囲であることが好ましく、９〜１６ＭＰａの範囲がより好ましい。なお、前記皮膜の１００％モジュラスの測定方法は、ＪＩＳＫ：１９９５に準拠した方法により測定した値を示し、具体的には後述する実施例にて記載する。
【００３０】
次に、前記ウレタン樹脂組成物を湿式成膜法により多孔体を製造する方法について説明する。
【００３１】
前記湿式成膜法とは、前記ウレタン樹脂組成物を、基材表面に塗布または含浸し、次いで、該塗布面または含浸面に水や水蒸気等を接触させることによって前記ウレタン樹脂（Ｘ）を凝固させ多孔体を製造する方法である。
【００３２】
前記ウレタン樹脂組成物を塗布する基材としては、例えば、不織布、織布、編み物からなる基材；樹脂フィルム等を用いることができる。前記基材を構成するものとしては、例えば、ポリエステル繊維、ナイロン繊維、アクリル繊維、ポリウレタン繊維、アセテート繊維、レーヨン繊維、ポリ乳酸繊維等の化学繊維；綿、麻、絹、羊毛、これらの混紡繊維などを用いることができる。
【００３３】
前記基材の表面には、必要に応じて制電加工、離型処理加工、撥水加工、吸水加工、抗菌防臭加工、制菌加工、紫外線遮断加工等の処理が施されていてもよい。
【００３４】
前記基材表面に前記ウレタン樹脂組成物を塗布または含浸する方法としては、例えば、グラビアコーター法、ナイフコーター法、パイプコーター法、コンマコーター法が挙げられる。その際、ウレタン樹脂組成物の粘度を調整し塗工作業性を向上するため、必要に応じて、有機溶剤（Ｙ）の使用量を調節してもよい。
【００３５】
前記方法により塗布または含浸された前記ウレタン樹脂組成物の乾燥皮膜の厚さとしては、例えば、０．５〜５ｍｍの範囲であり、０．５〜３ｍｍの範囲が好ましい。
【００３６】
前記ウレタン樹脂組成物が塗布または含浸され形成した塗布面に水または水蒸気を接触させる方法としては、例えば、前記ウレタン樹脂組成物からなる塗布層や含浸層の設けられた基材を水浴中に浸漬する方法；前記塗布面上にスプレー等を用いて水を噴霧する方法などが挙げられる。前記浸漬は、例えば５〜６０℃の水浴中に、２〜２０分行うことが挙げられる。
【００３７】
前記多孔体は、常温の水や温水を用いてその表面を洗浄して有機溶剤（Ｙ）を抽出除去し、次いで乾燥することが好ましい。前記洗浄は、５〜６０℃の水で２０〜１２０分行なうことが好ましく、洗浄に用いる水は１回以上入れ替えるか、あるいは、流水で連続して入れ替えるのが好ましい。前記乾燥は、８０〜１２０℃に調整した乾燥機等を用い、１０〜６０分行うことが好ましい。
【００３８】
前記多孔体は、面の厚さ方向に長い紡錘形または涙滴形の多孔構造を有する。前記孔の大きさとしては、面方向の幅が最も大きい部分で直径１〜７０μｍの範囲であることが好ましい。前記多孔体の厚みは、０．４〜１．２ｍｍの厚さであることが、研磨パッド等の用途で使用するうえで好適であり、０．４〜１ｍｍの厚さがより好ましい。
【００３９】
以上、本発明のウレタン樹脂組成物は、低圧縮率性、柔軟性、及び、湿式成膜性に優れるものである。
【００４０】
よって、本発明のウレタン樹脂組成物は、湿式成膜法により得られる多孔体を有する仕上げ研磨用研磨パッドとして好適に使用することができる。
【実施例】
【００４１】
以下、実施例を用いて、本発明をより詳細に説明する。
【００４２】
［実施例１］
攪拌機、温度計、及び、窒素ガス導入管を有する４ツ口フラスコに、ポリエステルポリオール（エチレングリコール及びアジピン酸の反応物、数平均分子量；２，０００、以下「ＰＥｓ（１）」と略記する。）１００質量部、１，４−ブタンジオール（以下「ＢＧ」と略記する。）２０質量部、Ｎ，Ｎ−ジメチルホルムアミド（以下「ＤＭＦ」と略記する。）５６４質量部、及び、４，４’−ジフェニルメタンジイソシアネート（以下「ＭＤＩ」と略記する。）６８質量部を投入し、撹拌下６０℃で６時間反応させ、引き続きイソプロピルアルコール１質量部を投入し、更に６０℃で１時間撹拌することによって、ウレタン樹脂組成物を得た。ウレタン樹脂の重量平均分子量は、１８８，１００であった。
【００４３】
［実施例２〜５、比較例１〜３］
表１〜２に示す通りに、材料の種類及び量を変更した以外は、実施例１と同様にしてウレタン樹脂組成物を得た。
【００４４】
［数平均分子量の測定方法］
実施例及び比較例で用いたポリオールの数平均分子量、及び、ウレタン樹脂の重量平均分子量は、ゲル・パーミエーション・クロマトグラフィー（ＧＰＣ）法により、下記の条件で測定した値を示す。
【００４５】
測定装置：高速ＧＰＣ装置（東ソー株式会社製「ＨＬＣ−８２２０ＧＰＣ」）
カラム：東ソー株式会社製の下記のカラムを直列に接続して使用した。
「ＴＳＫｇｅｌ  Ｇ５０００」（７．８ｍｍＩ．Ｄ．×３０ｃｍ）×１本
「ＴＳＫｇｅｌ  Ｇ４０００」（７．８ｍｍＩ．Ｄ．×３０ｃｍ）×１本
「ＴＳＫｇｅｌ  Ｇ３０００」（７．８ｍｍＩ．Ｄ．×３０ｃｍ）×１本
「ＴＳＫｇｅｌ  Ｇ２０００」（７．８ｍｍＩ．Ｄ．×３０ｃｍ）×１本
検出器：ＲＩ（示差屈折計）
カラム温度：４０℃
溶離液：テトラヒドロフラン（ＴＨＦ）
流速：１．０ｍＬ／分
注入量：１００μＬ（試料濃度０．４質量％のテトラヒドロフラン溶液）
標準試料：下記の標準ポリスチレンを用いて検量線を作成した。
【００４６】
（標準ポリスチレン）
東ソー株式会社製「ＴＳＫｇｅｌ  標準ポリスチレン  Ａ−５００」
東ソー株式会社製「ＴＳＫｇｅｌ  標準ポリスチレン  Ａ−１０００」
東ソー株式会社製「ＴＳＫｇｅｌ  標準ポリスチレン  Ａ−２５００」
東ソー株式会社製「ＴＳＫｇｅｌ  標準ポリスチレン  Ａ−５０００」
東ソー株式会社製「ＴＳＫｇｅｌ  標準ポリスチレン  Ｆ−１」
東ソー株式会社製「ＴＳＫｇｅｌ  標準ポリスチレン  Ｆ−２」
東ソー株式会社製「ＴＳＫｇｅｌ  標準ポリスチレン  Ｆ−４」
東ソー株式会社製「ＴＳＫｇｅｌ  標準ポリスチレン  Ｆ−１０」
東ソー株式会社製「ＴＳＫｇｅｌ  標準ポリスチレン  Ｆ−２０」
東ソー株式会社製「ＴＳＫｇｅｌ  標準ポリスチレン  Ｆ−４０」
東ソー株式会社製「ＴＳＫｇｅｌ  標準ポリスチレン  Ｆ−８０」
東ソー株式会社製「ＴＳＫｇｅｌ  標準ポリスチレン  Ｆ−１２８」
東ソー株式会社製「ＴＳＫｇｅｌ  標準ポリスチレン  Ｆ−２８８」
東ソー株式会社製「ＴＳＫｇｅｌ  標準ポリスチレン  Ｆ−５５０」
【００４７】
［１００％モジュラスの測定方法］
実施例及び比較例で得られたウレタン樹脂組成物１００質量部に、ＤＭＦ４０質量部を配合した配合液を、フラット離型紙（リンテック株式会社製「ＥＫ−１００Ｄ」）上に乾燥後の膜厚が３０μｍとなるように塗布し、９０℃で２分間、更に１２０℃で２分間乾燥させて皮膜を作製した。次いで、得られた皮膜を幅５ｍｍ、長さ７０ｍｍの短冊状に裁断し、オートグラフ（株式会社島津製作所製「ＡＧ−１ＫＮＸ」）を使用して、クロスヘッドスピード３００ｍｍ／分の条件にて、１００％モジュラス（ＭＰａ）を測定した。
【００４８】
［パルスＮＭＲの測定方法］
前記［１００％モジュラスの測定方法］にて得られた皮膜について、以下の条件によりパルスＮＭＲ（核磁気共鳴）測定法により、非晶相、結晶相、及び、中間相の存在比率（％）を測定した。
【００４９】
測定方法：パルスＮＭＲ測定によるＳｏｌｉｄ  Ｅｃｈｏ法
測定装置：日本電子株式会社製「ＪＮＭ−ＭＵ２５」
測定条件：１Ｈ９０  Ｐｕｌｓｅ：２．９μＳ
繰り返し時間：３ｓ
積算回数：３２回
測定温度：２７℃
【００５０】
［湿式成膜性の評価方法］
得られたウレタン樹脂組成物１００質量部を、ポリエチレンテレフタラート（ＰＥＴ）フィルム上に厚さ１ｍｍとなるように塗布してから２５℃の水に１０分漬けて、凝固させた。その後、５０℃の温水中で６０分洗浄し、１００℃乾燥機中に３０分放置することにより加工フィルムを得た。得られた加工フィルムの断面状態を、日本電子株式会社製走査型電子顕微鏡「ＪＳＭ−ＩＴ５００」（倍率：１００倍）で観察し、セル形状（細さ、均一性）を確認し、最大横幅が７０μｍ以下のセルが全体の６０％を占めていれば「○」、それ以外は「×」と評価した。
【００５１】
［圧縮率の評価方法］
前記［湿式成膜性の評価方法］で得られた加工フィルムについて、ＪＩＳＬ−１０２１−６に準拠して圧縮率評価を行った。具体的には、初荷重２ｋＰａを３０秒間かけた後の「標準圧力下における厚さ：ｔ０」を測定し、次に、最終荷重９８ｋＰａの荷重を３０秒間かけた後の「一定圧力下における厚さ：ｔ１」を測定し、これを下記の式に適用して圧縮率を算出した。
圧縮率（％）＝１００×（ｔ０−ｔ１）／ｔ０
これによって求められた圧縮率が２０％以下であれば「○」、それ以外は「×」と評価した。
【００５２】
［柔軟性の評価方法］
前記［１００％モジュラスの測定方法］で得られた加工フィルムについて、ＪＩＳＫ７２４４−１９９９に準拠した下記条件での動的粘弾性分析により、２３℃のおける貯蔵弾性率（Ｅ’）を測定し、Ｅ’が２００ＭＰａ以下であれば「○」、それ以外を「×」とした。
【００５３】
測定装置：粘弾性スペクトロメータ（エスアイアイ・ナノテクノロジー株式会社製「ＤＭＳ６１００」）
温度範囲：−１００〜２５０℃
昇温速度：５℃／分
周波数１Ｈｚ、引張モード
【００５４】
【表１】
2020100688.tif 000002
【００５５】
【表２】
2020100688.tif 000003
【００５６】
表１〜２中における略語について説明する。
「ＰＥｓ（２）」；１，４−ブタンジオール及びアジピン酸の反応物、数平均分子量；２，０００
「ＰＥｓ（３）」；エチレングリコール、１，４−ブタンジオール及びアジピン酸の反応物、数平均分子量；２，０００
「ＰＥｓ（４）」；１，６−ヘキサンジオール及びアジピン酸の反応物、数平均分子量；２，０００
「ＰＥｓ（５）」；１，４−ブタンジオール及びアジピン酸の反応物、数平均分子量；１，０００
「ＰＴＭＧ」；ポリテトラメチレングリコール、数平均分子量；２，０００
「ＥＧ」；エチレングリコール
表中の使用量は質量部を示す。
構成原料中におけるポリイソシアネート（ｂ）の使用割合（質量％）は、小数点第一位を四捨五入した値を示す。
【００５７】
本発明のウレタン樹脂組成物は、耐オレイン酸性、低圧縮率性、柔軟性、及び、湿式成膜性に優れることが分かった。
【００５８】
一方、比較例１は、非晶相の存在比率が本発明で規定する範囲を下回り、かつ、結晶相の存在比率が本発明で規定する範囲を超える態様であるが、柔軟性が不良であった。
【００５９】
比較例２は、非晶相の存在比率が本発明で規定する範囲を下回る態様であるが、低圧縮率性が不良であった。
【００６０】
比較例３は、非晶相の存在比率が本発明で規定する範囲を超え、かつ、結晶相の存在比率が本発明で規定する範囲を下回る態様であるが、低圧縮率性、及び、湿式成膜性が不良であった。